(57)【要約】【課題】情報登録検索装置において、登録、検索時におけるカテゴリへの分類作業を容易にする情報登録検索装置及び情報登録検索方法を提供すること。【解決手段】登録しようとする情報を複数の独立したカテゴリ・ツリーの全てに属するような形で分類してとり扱う情報制御部１１と、前記制御結果を格納する情報格納部１４と、登録、検索に関する指示を入力する入力制御部１２と、入力情報や検索結果を表示する出力制御部１３と、を有する【選択図】  図１
2004185384.tif 000002
【特許請求の範囲】
【請求項１】
情報を分類し、登録あるいは検索する情報登録検索装置であって、前記登録しようとする情報を複数の独立したカテゴリ・ツリーの全てに属するような形で分類して取扱う情報制御手段と、前記制御結果を格納する情報格納手段と、登録、検索に関する指示を入力する入力手段と、入力情報や検索結果を表示する表示手段と、を有することを特徴とする情報登録検索装置。
【請求項２】
情報の登録、検索操作の際に、対象カテゴリの属性を切り替える属性切替手段を有することを特徴とする請求項１記載の情報登録検索装置。
【請求項３】
情報を分類し、登録あるいは検索する情報登録検索装置であって、
登録しようとする情報を複数の独立したカテゴリ・ツリーの全てに属するような形で分類して取扱うように制御する、ことを特徴とする情報登録検索方法。
【請求項４】
情報の登録、検索操作の際に、対象カテゴリの属性を切り替えるように制御する、ことを特徴とする請求項３記載の情報登録検索方法。
【請求項５】
情報を分類し、登録あるいは検索する情報登録検索プログラムを記録した記録媒体であって、
登録しようとする情報を複数の独立したカテゴリ・ツリーの全てに属するような形で分類して取扱うように制御する、ことを特徴とする情報登録検索プログラムを記録した記録媒体。
【請求項６】
情報の登録、検索操作の際に、対象カテゴリの属性を切り替えるように制御する、ことを特徴とする請求項４記載の情報登録検索プログラムを記録した記録媒体。
【発明の詳細な説明】
【０００１】
【発明の属する技術分野】
本発明は、情報の登録や検索において、情報の項目区分の分類作業を行う情報登録検索装置及び情報登録検索方法に関するものである。
【０００２】
【従来の技術】
従来の情報登録検索装置における情報管理では、単一ツリー構造内のカテゴリ（区分）別に分類している。情報を登録あるいは検索しようとする際には、ツリーのトップから目的のカテゴリに達するまで順次選択させていき、目的のカテゴリに到達すると、そのカテゴリに分類された情報の一覧を取り出すことができる（例えば特許文献１を参照）。
【０００３】
このような情報登録検索装置の一例を図６に示す。図６において、「北海道のラーメン」というカテゴリにアクセスするには、「トップ−企業−飲食店−ラーメン−北海道」「トップ−生活・文化−グルメ−ラーメン−北海道」「トップ−国・地域−日本−北海道−飲食−ラーメン」のうち、いずれかの手順を踏めばよいことになる。
【０００４】
【特許文献１】
特開平０８−０４４７６５号公報
【０００５】
【発明が解決しようとする課題】
しかしながら、情報を登録する者（登録者）にとっては、登録情報を単一のカテゴリ・ツリー構造内のどの枝に登録すべきであるかという点について、直感的に判断することは極めて困難である。また、情報を検索する者（検索者）にとっても、必要とする情報が、単一のカテゴリ・ツリー構造内のどの枝に存在しているのかを即座に判断することは容易でなく、ツリー内で何度も往復しながら検索を行う必要があるなど、登録においても、検索においても操作性を著しく低下させるという問題を有している。
【０００６】
さらに、上位ツリーからは目的とするカテゴリがどの枝に属しているかを確実に判断することが難しく、また、図６にもあるように「北海道のラーメン」というカテゴリを対象としているにもかかわらず、最終到達カテゴリが「北海道」になったり「ラーメン」になったりするという曖昧さを持つという問題をも有している。
【０００７】
本発明は、情報の登録時、検索時の操作性を向上させることのできる情報登録検索装置及び情報登録検索方法を提供することを目的とする。
【０００８】
【課題を解決するための手段】
この課題を解決するために本発明は、情報を分類し、登録あるいは検索する情報登録検索装置であって、前記登録しようとする情報を複数の独立したカテゴリ・ツリーの全てに属するような形で分類して取扱う情報制御手段と、前記制御結果を格納する情報格納手段と、登録、検索に関する指示を入力する入力手段と、入力情報や検索結果を表示する表示手段と、を有する構成とした。
【０００９】
これにより、情報の登録時、検索時の操作性を向上させることのできる情報登録検索装置が得られる。
【００１０】
【発明の実施の形態】
本発明の請求項１に係る発明は、情報を分類し、登録あるいは検索する情報登録検索装置であって、前記登録しようとする情報を複数の独立したカテゴリ・ツリーの全てに属するような形で分類して取扱う情報制御手段と、前記制御結果を格納する情報格納手段と、登録、検索に関する指示を入力する入力手段と、入力情報や検索結果を表示する表示手段と、を有する構成としたことにより、情報を登録、あるいは検索する場合に、最終到達カテゴリが異なるといった分類の曖昧さを排除することができる。
【００１１】
本発明の請求項２に係る発明は、請求項１に係る発明において、情報の登録、検索操作の際に、対象カテゴリの属性を切り替える属性切替手段を有する構成としたことにより、現在選択操作中のカテゴリ軸を適宜切り替えることができ、複数カテゴリ・ツリーのＡＮＤ条件による絞込みを簡便に行わせることができる。
【００１２】
以下、本発明の各実施例について、図面を参照しながら説明する。
【００１３】
（実施の形態１）
本発明の実施の形態１について説明する。
【００１４】
図１は、本発明の実施の形態１における情報登録検索装置の構成図である。
【００１５】
図１において、１１は登録あるいは検索対象の情報を複数の独立したカテゴリ・ツリーの全てに属するような形で分類して取扱う情報制御部、１４は情報制御部１１の制御結果を格納する情報格納部、１５は登録（あるいは検索）に関する指示を入力する入力部、１２は入力部１５からの入力データを処理する入力制御部、１６は処理の状況や結果を表示する表示部、１３は表示内容の決定あるいは生成し表示部１６へと送る出力制御部、１７は情報を伝達するためのバスである。
【００１６】
情報登録（あるいは検索）の際には、表示部１６に表示された選択メニューに従い、入力部１５から選択操作を行う。選択操作をうけた入力制御部１２は、情報制御部１１へと情報を渡す。
【００１７】
情報制御部１１は、複数のカテゴリ・ツリー中、現在どのカテゴリ・ツリーが登録（あるいは検索）の対象になっているかを判断し、情報格納部１５からツリー情報を取り出し、出力制御部１３へと渡す。
【００１８】
出力制御部１３は、出力情報を画面情報として成形し、表示部１６へと渡す。また、入力部１５から選択対象カテゴリの変更指示が入力された場合には、情報制御部１１によって、対象となるツリーが切り替えられる。
【００１９】
この手順を繰り返し、最終的に情報登録（あるいは検索）の対象となる分類に到達すると、利用者は情報登録（あるいは一覧表読み出し）操作を行うことができる。
【００２０】
情報制御部１１の扱う情報の形態について、従来の技術（図６）との比較を図２を用いて説明する。
【００２１】
図６の従来の技術の単一ツリー分類によれば、「北海道のラーメン」という情報を登録（あるいは検索）する場合、トップメニュー２１からツリーをたどり、最終的に、分類２２、分類２３、分類２４などに分類されている。このように、単一ツリー分類においては、複数のキー（この例では「北海道」「ラーメン」）の混在を許すため、最終到達分類が「北海道」になったり「ラーメン」になったりするという曖昧さを持つという問題を有している。
【００２２】
また、情報を登録（あるいは検索）する利用者にとっては、対象情報が単一カテゴリ・ツリー構造内のどこに該当するのかを直感的に判断することは極めて困難であり、ツリー内で何度も往復しながら該当分野を探す必要があるなど、操作性を著しく低下させている。
【００２３】
これに対し、図２の本実施の形態における複数ツリー分類における情報形態では、「北海道のラーメン」というキーが「ジャンル」と「地域」から成立していることに着目し、ジャンル別ツリー３１と地域別ツリー３５の二重ツリー構造を持つように構成する。
【００２４】
操作者は「北海道のラーメン」という情報を登録（あるいは検索）するためには、ジャンル別ツリー３１から分類３３あるいは分類３４を選択し、さらに地域別ツリー３５から分類３７を選択することで、目的の情報に簡便にたどり着くことができる。
【００２５】
ここで、分類３３と分類３４は同一名称であるが、この２つの分類が同一のものであるか別々のものであるかは実施の状況に応じて任意に選択できる。また、実施においては、ツリーの数は、システムにおいて必要と考えられるだけ都度作成できる。また、ツリーの項目については、予めシステム作成者が規定しておいてもよいし、ユーザが検索途中にツリーとなるキーを指定して、次々とツリーを増やしても良い（ツリーの再構築）。
【００２６】
以上のように構成された情報登録検索装置について、以下その動作について説明する。
【００２７】
図３は、本発明の実施の形態１における情報登録検索装置の動作フローチャートである。
【００２８】
図３に示すように、まず、第一のツリーを対象に設定し（ステップ４１）、ツリーの細分類を順次選択し（ステップ４２）、目的の分類までたどり着いたかを判定し（ステップ４３）、目的の分類に達していた場合、次の選択未処理ツリーがあるかどうかを判定し（ステップ４４）、未処理ツリーがある場合は次のツリーを選択し（ステップ４５）、ステップ４２へと戻る。ステップ４５において既に全てのツリーが選択処理済であった場合、選択操作を終了する。
【００２９】
このように本実施の形態によれば、情報を登録、あるいは検索する場合に、最終到達カテゴリが異なるといった分類の曖昧さを排除することができ、情報の登録、検索における操作効率の向上を図ることができる。
【００３０】
（実施の形態２）
本発明の実施の形態２について説明する。
【００３１】
図４は、本発明の実施の形態２における情報登録検索装置の構成図であり、実施の形態１の構成に加え、属性切替部５７を有している。
【００３２】
図４において、５１は登録あるいは検索対象の情報を複数の独立したカテゴリ・ツリーの全てに属するような形で分類して取扱う情報制御部、５４は情報制御部５１の制御結果を格納する情報格納部、５５は登録（あるいは検索）に関する指示を入力する入力部、５２は入力部５５から入力されたデータを処理する入力制御部、５６は処理の状況や結果を表示する表示部、５３は表示内容を決定あるいは生成し表示部５６へと送る出力制御部、５７は登録（あるいは検索）操作の際に対象カテゴリ属性を切り替える属性切替部、５８は情報を伝達するためのバスである。
【００３３】
情報登録（あるいは検索）の際には、表示部５６に表示された選択メニューに従い、入力部５５から選択操作を行う。選択操作をうけた入力制御部５２は、情報制御部５１へと情報を渡す。
【００３４】
情報制御部５１は、複数のカテゴリ・ツリー中、現在どのカテゴリ・ツリーが登録（あるいは検索）の対象になっているかを判断し、情報格納部５４からツリー情報を取り出し、出力制御部５３へと渡す。
【００３５】
出力制御部５３は、出力情報を画面情報として成形し、表示部５６へと渡す。また、入力部５５から選択対象カテゴリの変更指示が入力された場合には、属性切替部５７によって、対象となるツリーが切り替えられる。
【００３６】
上記手順を繰り返し、最終的に情報登録（あるいは検索）の対象となる分類に到達すると、操作者は情報登録（あるいは一覧表読み出し）操作を行うことができる。
【００３７】
属性切替部５７によるツリーの切替について図５を用いて説明する。
【００３８】
図５は、本発明の実施の形態２における情報登録検索装置の表示例を示す図である。
【００３９】
図５において、６１は表示パネル、６２はこれまでの時点で絞り込まれた項目内容の表示領域、６３は表示領域６２のツリーに対する情報登録指示ボタン、６４は表示領域６２のツリーに対する一覧表示指示ボタン、６５は現在選択されているツリー名称の表示領域、６６は選択されているツリー位置の一段下の選択項目表示領域、６７はマウスやキーボードなどのポインティングデバイスによって操作され移動するカーソル、６８は他ツリーへの切替表示ボタンである。
【００４０】
この例では、前項において説明した図２の２項目ツリー形式のデータを選択絞込みを行っている途中の段階で、ジャンル別ツリー３１の「企業」分類を選択中、かつ、地域別ツリー３５については未選択（トップメニュー３６を選択していることと同義）の表示画面である。
【００４１】
表示領域６２の内容に対して絞込みが十分でない場合、さらに絞込みを行うために、選択項目を表示した表示項目６６における選択項目をカーソル６７によって指示することで、下位のツリーへと移動して絞込みを行うことができる。
【００４２】
また、任意のタイミングで切替表示ボタン６８をカーソル６７にて指示することで、絞込みに用いるツリーを切り替えることができる。
【００４３】
この操作を繰り返すことで、十分に分類が絞り込めたと利用者が判断した場合、情報登録を行う場合は情報登録指示ボタン６３を、表示領域６２の内容に対して一覧表示を行う場合は一覧表示指示ボタン６４を、カーソル６７にて指示することで、情報登録（あるいは検索）作業を行うことができる。
【００４４】
このように本実施の形態によれば、情報登録検索装置の操作において、現在選択操作中のカテゴリ軸を適宜切り替える手段を提供し、複数カテゴリツリーのＡＮＤ条件による絞込みを簡便に行わせることによって、情報登録、あるいは情報検索時の操作性を向上させることができる作用がある。
【００４５】
【発明の効果】
以上のように本発明によれば、情報を分類し、登録あるいは検索する情報登録検索装置であって、前記登録しようとする情報を複数の独立したカテゴリ・ツリーの全てに属するような形で分類して取扱う情報制御手段と、前記制御結果を格納する情報格納手段と、登録、検索に関する指示を入力する入力手段と、入力情報や検索結果を表示する表示手段と、を有する構成としたことにより、情報を登録、あるいは検索する場合に、最終到達カテゴリが異なるといった分類の曖昧さを排除することができ、情報の登録、検索処理効率が向上する。
【００４６】
また、情報の登録、検索操作の際に、対象カテゴリの属性を切り替える属性切替手段を有する構成としたことにより、現在選択操作中のカテゴリ軸を適宜切り替えることができ、複数カテゴリ・ツリーのＡＮＤ条件による絞込みを簡便に行わせることができ、操作効率が向上する。
【図面の簡単な説明】
【図１】本発明の実施の形態１における情報登録検索装置の構成図
【図２】本発明の実施の形態１におけるカテゴリ・ツリーの説明図
【図３】本発明の実施の形態１における情報登録検索装置の動作フローチャート
【図４】本発明の実施の形態２における情報登録検索装置の構成図
【図５】本発明の実施の形態２における情報登録検索装置の表示例を示す図
【図６】従来の技術におけるカテゴリ・ツリーの説明図
【符号の説明】
１１、５１  情報制御部
１２、５２  入力制御部
１３、５３  出力制御部
１４、５４  情報格納部
１５、５５  入力部
１６、５６  表示部
１７、５８  バス
５７  属性切替部
【図１】
2004185384.tif 000003
【図２】
2004185384.tif 000004
【図３】
2004185384.tif 000005
【図４】
2004185384.tif 000006
【図５】
2004185384.tif 000007
【図６】
2004185384.tif 000008